(57)【要約】  本発明の課題は、サーバ等の計算機を安定的に運用させることができ、大幅に運用時のエネルギー消費を抑制し得るデータセンター、および、そこで用いられる計算機格納用ラックを提供することである。本発明によれば、計算機を設置および運用するための建物であって、建物内に外気を取り込む吸入装置を備えた吸気エリア１０と、建物外へ空気を排出する排気装置を備えた排気エリア２０と、吸気エリア１０と排気エリア２０とを遮断する隔壁４０と、隔壁４０の一部を貫通するように設置された計算機格納用ラック３０と、吸気エリア１０内の空気が計算機格納用ラック３０を通過して排気エリア２０へと流れるように気流を制御する気流制御手段と、を有するデータセンター１が提供される。
2011049033.tif 000002
【特許請求の範囲】
【請求項１】
計算機を設置および運用するための建物であって、
建物内に外気を取り込む吸入装置を備えた吸気エリアと、
建物外へ空気を排出する排気装置を備えた排気エリアと、
吸気エリアと排気エリアとを遮断する隔壁と、
隔壁の一部を貫通するように設置された計算機格納用ラックと、
吸気エリア内の空気が計算機格納用ラックを通過して排気エリアへと流れるように気流を制御する気流制御手段と、を有するデータセンター。
【請求項２】
吸気エリアおよび排気エリアとは気流が遮断された気密室をさらに有し、気密室には吸気エリアへの出入口および排気エリアへの出入口が設けられている、請求項１記載のデータセンター。
【請求項３】
建物内に外気を取り込む吸入装置を備え上記吸気エリアとは別個の第２の吸気エリアと、
排気エリアと第２の吸気エリアとを遮断する第２の隔壁と、
第２の隔壁の一部を貫通するように設置された第２の計算機格納用ラックと、
第２の吸気エリア内の空気が第２の計算機格納用ラックを通過して排気エリアへと流れるように気流を制御する第２の気流制御手段と、をさらに有する請求項１記載のデータセンター。
【請求項４】
排気装置から吸入装置に至る空気のバイパス経路をさらに有する請求項１記載のデータセンター。
【請求項５】
排気装置から吸入装置に至る空気のバイパス経路をさらに有する請求項２記載のデータセンター。
【請求項６】
排気装置から吸入装置に至る空気のバイパス経路をさらに有する請求項３記載のデータセンター。
【請求項７】
吸気エリアおよび排気エリアの少なくとも一方に温度センサをさらに有し、
温度センサからの信号によって、（Ａ）気流制御手段における気流の制御、および／または、（Ｂ）排気装置から上記バイパス経路を介した吸入装置への気流の制御、が行われるよう構成された、請求項１〜６のいずれかに記載のデータセンター。
【請求項８】
計算機を設置および運用するための建物内に設置するための計算機格納用ラックであって、当該ラック本体を貫通するように構成された計算機の格納領域を有し、前記格納領域内には閉鎖板を設置することができ、該格納領域に計算機を格納しない場合には閉鎖板によってラックを貫通する方向の気流が遮断されるよう構成されてなる、計算機格納用ラック。
【発明の詳細な説明】
【技術分野】
【０００１】
本発明は、計算機を設置および運用するための建物であるデータセンターおよびそこで使用するための計算機格納用ラックに関する。
【背景技術】
【０００２】
従来から、サーバをはじめとする計算機の増加に伴い、データセンターの電力消費が増加している。近時は、環境問題への意識の高まりとともに、データセンターにおけるエネルギー節約が重要課題としてクローズアップされている。このため、最近のデータセンターの設計では、使用電力量を抑え、発生する熱なども管理することが求められている。【０００３】
一般的なデータセンターでは、特開２００９−６３２２６号公報に示されるように、計算機から発生する熱を除去するために、床下から冷気を入れて、天井から熱気を逃がす構造などがとられている。言い換えれば、冷却媒体として空気を利用した空調設備によって計算機を冷却している。具体的には、閉鎖されたデータセンター内で冷却媒体である空気を循環させ、これを空調機器によって計算機に作用させることで冷却が実現される。そして、計算機によって熱せられた空気それ自体を冷却機によって冷却して、再び、計算機に作用させている。
【先行技術文献】
【特許文献】
【０００４】
【特許文献１】特開２００９−６３２２６号公報
【発明の開示】
【０００５】
最近では、環境問題および省エネルギーへのさらなる意識が高まっている。また、情報通信分野では、インターネット利用者の激増、あるいは、Ｓａａｓやクラウドコンピューティングの普及などにより、サーバの使用は加速度的に増加している。一方で、サーバ自体の技術の進歩によって、従来よりも少ない発熱で稼動する計算機や、従来より高い温度のもとでも稼動できる計算機も増えてきている。
【０００６】
これらのことに鑑みて、本発明は、サーバ等の計算機を安定的に運用させることができ、運用時のエネルギー消費を大幅に抑制し得るデータセンター、および、そこで用いられる計算機格納用ラックを提供することを課題とする。
【０００７】
本発明者らが鋭意検討した結果、以下のような本発明を完成した。
（１）計算機を設置および運用するための建物であって、建物内に外気を取り込む吸入装置を備えた吸気エリアと、建物外へ空気を排出する排気装置を備えた排気エリアと、吸気エリアと排気エリアとを遮断する隔壁と、隔壁の一部を貫通するように設置された計算機格納用ラックと、吸気エリア内の空気が計算機格納用ラックを通過して排気エリアへと流れるように気流を制御する気流制御手段と、を有するデータセンター。
（２）吸気エリアおよび排気エリアとは気流が遮断された気密室をさらに有し、気密室には吸気エリアへの出入口および排気エリアへの出入口が設けられている（１）のデータセンター。
（３）建物内に外気を取り込む吸入装置を備え上記吸気エリアとは別個の第２の吸気エリアと、排気エリアと第２の吸気エリアとを遮断する第２の隔壁と、第２の隔壁の一部を貫通するように設置された第２の計算機格納用ラックと、第２の吸気エリア内の空気が第２の計算機格納用ラックを通過して排気エリアへと流れるように気流を制御する第２の気流制御手段と、をさらに有する（１）または（２）のデータセンター。
（４）排気装置から吸入装置に至る空気のバイパス経路をさらに有する（１）〜（３）のいずれかのデータセンター。
（５）吸気エリアおよび排気エリアの少なくとも一方に温度センサをさらに有し、温度センサからの信号によって、（Ａ）気流制御手段における気流の制御、および／または、（Ｂ）排気装置から上記バイパス経路を介した吸入装置への気流の制御、が行われるよう構成された、（１）〜（４）のいずれかのデータセンター。
（６）計算機を設置および運用するための建物内に設置するための計算機格納用ラックであって、当該ラック本体を貫通するように構成された計算機の格納領域を有し、前記格納領域内には閉鎖板を設置することができ、該格納領域に計算機を格納しない場合には閉鎖板によってラックを貫通する方向の気流が遮断されるよう構成されてなる、計算機格納用ラック。
【０００８】
本発明によるデータセンターによれば、吸気エリア内に取り込んだ外気は計算機格納用ラックを通過して排気エリアへと流され、その際に、前記ラックに格納された計算機で発生した熱を奪うことができる。計算機によって暖められた空気は外部に排気されるから、空気自体を冷却する必要性は全くないか著しく小さい。このように、気流の制御によってデータセンターを構築することができるから、データセンターにおける消費エネルギーが著しく小さくなり、コスト低減および環境負荷低減が大いに見込まれる。本発明によれば、従来のデータセンターにおける空調のための二重床などの複雑な建築要素を必要としない。本発明による計算機格納用ラックは、格納した計算機内へ空気を効率よく流すことができるから、上述のデータセンターへの適用に好適である。
【０００９】
本発明の好適態様によれば、気密室を介して吸気エリアと排気エリアとを作業者が往来できるので、データセンター内における作業効率が向上する。別の好適態様によれば、データセンター内に設けられる吸気エリアを増やすことができ、格納および運用できる計算機を増やすことができる。さらに別の好適態様では、排気された暖かい空気を必要に応じて吸入エリアに取り込むことができる。これによって、夜間や冬季など低温時に、計算機の過冷却を抑制したりデータセンターを暖めたりすることができる。また別の好適態様によれば、温度センサからの信号のフィードバックを利用して、気流を制御したり、暖められて排気される空気の一部を吸気エリアに取り入れたりすることで、データセンター内の温度変化を抑制させることができる。
【図面の簡単な説明】
【００１０】
【図１】本発明の一態様であるデータセンターの模式平面図である。
【図２】本発明の一態様である計算機格納用ラックの模式図である。
【図３】本発明の一態様であるデータセンターの模式平面図である。
【図４】本発明の一態様であるデータセンターの模式平面図である。
【図５】本発明の実施例で用いた１９インチラックの模式正面図である。
【符号の説明】
【００１１】
図面において、１はデータセンターであり、１０と１１０は吸気エリアであり、１１と１１１は吸入口であり、２０は排気エリアであり、２１は排気口であり、１２、２２と１１２はファンであり、３０は計算機格納用ラックであり、３１は天板であり、３２は側板であり、３３は閉鎖板であり、３４はサーバを格納しない領域であり、３５はサーバであり、３６はエアーブランクであり、４０と１４０は隔壁であり、５０は気密室であり、１３、２３、５１と５２は出入口である。
【発明を実施するための最良の形態】
【００１２】
以下、図面を参照しながら本発明を詳述する。しかし、本発明は図示された態様に限定されるわけでは無い。図面は、一部の構成要素を強調して描写している場合があるので、図面に表れた寸法は本発明の範囲を制限するものではない。【００１３】
図１は、本発明の一つの実施態様であるデータセンターの模式平面図である。データセンター１は隔壁４０によって吸気エリア１０と排気エリア２０とに区画されている。隔壁４０の一部には、隔壁４０を貫通するように計算機格納用ラック３０が設置されていて、該ラック３０は吸気エリア１０および排気エリア２０の両方に面している。図１のデータセンター１では、外気が吸入口１１を経て吸気エリア１０へ取り込まれ、計算機格納用ラック３０を通過して排気エリア２０へ流れ、排気口２１を経て外部に排出される。計算機格納用ラック３０では、好ましくは該ラック３０内に格納された計算機（図示せず）の内部を空気が通過し、その際に、計算機から発生した熱が空気によって奪われ、計算機内部の効率的な冷却が達成される。データセンター１内ではファン１２および２２などによって気流が制御される。作業者は、出入口１３、２３から吸気エリア１０および排気エリア２０へ出入する。【００１４】
吸気エリア１０はデータセンター１内に区画された領域である。吸気エリア１０には外気が取り込まれる。外気を取り込むための吸入装置は一般的な空調装置を適宜援用することができ、例えば、吸入口１１とファン１２との組合わせが挙げられる。データセンター１の内部の清潔のために、吸入口１１には防塵のためのフィルターなどを適宜備え付けることができる。吸気エリア１０は、外気を取り込む吸入装置および計算機格納用ラック３０を除いては、空気の出入が生じないことが好ましい。吸気エリア１０の床や天井などは空気の出入をできるだけ少なくするため、孔などは存在しないことが好ましいが、電気配線などのために孔を設けてもよい。吸入エリア１０内で作業者が計算機の操作をするに足る広さがある限り、吸入エリア１０の広さは特に限定はない。図１の態様では、吸入エリア１０には、建物外からの出入口１３が設けられている。出入口１３は、複数の扉を有するエアロックを構成していることが好ましい。【００１５】
排気エリア２０はデータセンター１内に、吸気エリア１０とは別に、区画された領域である。排気エリア２０からデータセンター１の外部に空気が排出される。排気装置としては一般的な空調装置を適宜援用することができ、例えば、排気口２１とファン２２との組合わせが挙げられる。排気エリア２０は、排気装置および計算機格納用ラック３０を除いては、空気の出入が生じないことが好ましい。排気エリア２０の床や天井などは空気の出入をできるだけ少なくするため、孔などは存在しないことが好ましいが、電気配線などのために孔を設けてもよい。排気エリア２０内で作業者が計算機の操作をするに足る広さがある限り、排気エリア２０の広さは特に限定はない。図１の態様では、排気エリア２０には、建物外からの出入口２３が設けられている。出入口２３は、複数の扉を有するエアロックを構成していることが好ましい。【００１６】
隔壁４０は、吸気エリア１０と排気エリア２０とを遮断する。両エリア１０および２０の気流を遮断することができれば、隔壁４０の構造や材質は特に限定されず、一般的な建築用ボードなどを適宜援用することができる。吸気エリア１０と排気エリア２０との気流の遮断を確保するため、通常は、隔壁４０は床から天井にまでわたって構築されている。隔壁４０の一部には、吸気エリア１０から排気エリア２０へと貫通するように計算機格納用ラック３０が設置されている。好ましくは、この計算機格納ラック３０が吸気エリア１０と排気エリア２０との間の唯一の流路を構成する。【００１７】
計算機格納用ラック３０（以下、「ラック」と略すこともある。）は、運用すべき計算機を格納する領域が設けられている棚状の構造物である。図２は、本発明の一つの実施態様であるラックの模式図である。このラック３０は、天板３１と側板３２を有している。ラック３０の本体を貫通するように棚状の格納領域が設けられている。この棚状の格納領域に計算機（図示せず）が格納される。ここで用いられる計算機は、内部において一軸方向に空気が流れるように設計されていることが好ましい。格納領域には、該領域の貫通方向の気流を遮断することができるような閉鎖板３３を設置することができる。ラック３０が複数の格納領域を有してデータセンター１の運用時にいくつかの格納領域に計算機を格納しない場合には、計算機を格納しない格納領域に閉鎖板３３を設置しておくことによって、より効率的に、計算機内部に空気を導くことができ、計算機の冷却をより確実にすることができる。【００１８】
従来の計算機格納用ラック（図示せず）は、天板３１や側板３２を有さず、フレームのみで構成されることが多い。そのようなラックであっても、隔壁４０の延長線上に閉鎖板３３を設置できるように構成したり、ラックの格納領域のなるべく多くの割合を計算機で占めるようにすれば、計算機の効率的な冷却は可能である。ただし、天板３１や側板３２を有していたほうが、気流の制御がし易いため、設置条件や使用する計算機の選択の幅が広がる。ラック３０に計算機格納領域以外の空隙部がある場合には、当該空隙部にも閉塞板を設置するなどして、格納した計算機の内部に効率的に空気が流れ込むようにすることが好ましい。【００１９】
本発明によれば、データセンター１において設置および運用する計算機の種類は特に限定されない。好ましくは、計算機の正面から背面へと空気を流すことによって冷却が達成されるよう構成された計算機が用いられる。それ以外の計算機であっても、吸気エリア１０内の空気は計算機を通って排気エリア２０へと流れるから、所定の冷却効果を期待することができる。【００２０】
本発明によれば、吸気エリア１０に導入された外気は、計算機格納用ラック３０を通過して排気エリア２０へと流れる。このような空気の流れは、図１の態様では、吸気口１１、排気口２１およびファン１２、２２の動作によって制御される。よって、この実施態様においては、吸気口１１、排気口２１およびファン１２、２２が気流制御手段として作用していると評価することができる。気流制御手段はファンに限定されるわけではなく、所望の気流をつくることができる代替手段を併用したり置き換えたりしてもよい。【００２１】
ファンなどの出力を調整することによって、気流の強さなどを適宜調節することができる。本発明者らの知見によれば、十分な風量によって、計算機内部の温度を外気温よりも１０〜１６℃程度高温に維持することができる。したがって、計算機を作動させた状態で前記温度領域が達成するような風量となるように、ファンの数などを適宜調整することができる。【００２２】
図３は、本発明の好適な一つの実施態様であるデータセンターの模式平面図である。このデータセンター１には、上述した吸気エリア１０および排気エリア２０に加えて、気密室５０が区画されている。気密室５０は吸気エリア１０とも排気エリア２０とも気流が遮断されるよう構成されている。気密室５０には、吸気エリア１０への出入口５１と排気エリア２０への出入口５２が設けられている。気密室５０を利用することによって、吸気エリア１０から計算機格納用ラック３０を介して排気エリア２０へ至る気流を乱すことなく、作業者は吸気エリア１０および排気エリア２０の相互間を移動をすることができる。その結果、計算機の作業の際に出入口１３や２３からデータセンター１の外に出なくてもよいので、作業効率が増す。気密室５０を設けることによって、出入口１３および２３のいずれか一方を設置しなくてもよい可能性もある。気密室５０の設計や構築は、一般的な建築技術を適宜援用することができる。本発明において想定する「気密」は、計算機格納用ラック３０を通過する気流を著しく阻害しない程度の気密であればよい。なお、データセンター１の出入口１３および２３についても、各々の出入口に複数の扉を設けて気密室の構造を構築することが好ましい。【００２３】
図４は、本発明の好適な一つの実施態様であるデータセンターの模式平面図である。このデータセンター１は３つのエリアに区画されている。排気エリア２０の両側に、第１の吸気エリア１０および第２の吸気エリア１１０が存在する。第１の吸気エリア１０と排気エリア２０とは第１の隔壁４０によって気流が遮断されている。第２の吸気エリア１１０と排気エリア２０とは第２の隔壁１４０によって気流が遮断されている。第１および第２の隔壁４０および１４０を貫通するように、第１の計算機格納用ラック３０および第２の計算機格納用ラック１３０が設けられている。【００２４】
図面中の太い矢印は、空気の流れを表している。第１の吸気エリア１０と排気エリア２０との関係は、図１に示した実施態様の場合と同様である。図４の態様では、第２の吸気エリア１１０には、吸入口１１１およびファン１１２が設けられていて、外気を取り込むことができるように構成されている。取り込まれた外気は、第２の計算機格納用ラック１３０を通過して排気エリア２０へと至るように制御される。このような、第２の吸気エリア１１０における空気の流れの制御は、吸気口１１１、ファン１１２および２２が担っており、これらは第２の気流制御手段であると評価することができる。【００２５】
図４には表現されていないが、データセンター１には、上述したような気密室や出入口を適宜設けることができる。このように第２の吸気エリア１１０を設けることによって、データセンター１において格納および運用する計算機の数を増やすことができる。さらに、図１、図３および図４の態様のデータセンターを適宜組合わせることによって、４室以上に区画されたデータセンターを構築することもできる。【００２６】
本発明によれば、計算機によって暖められた空気は、排気エリア２０からデータセンター１の外へ排出される。本発明の更なる好適態様によれば、排出された暖かい空気を吸気エリアに再度取り込むためのバイパス経路（図示せず）が備えられている。従来、データセンター１における計算機は冷やせば冷やすほどよいと考えられる傾向にあった。しかし、本発明者らの新たな知見によれば、近時の計算機技術の発達により、計算機から発する熱量は必ずしも大きいとはいえない場合があるほか、計算機を冷やし過ぎることによる弊害もあり得る。とりわけ、冬季や夜間など、外気温が著しく低い場合には、過冷却の懸念が生じたり、あるいは、データセンター１の内部を暖める必要が生じたりする。そういった場合には、吸気エリア１０に取り込む外気を加温する必要が生じ得る。ここで、排気エリア２０から排出された暖かい空気を利用することで、加温のためのエネルギーを節約することができる。バイパス経路の具体的な構成は特に限定されることはなく、ダクトなどを用いて適宜構築することができる。図４に示した実施態様の場合には、分岐したダクト（図示せず）を用いて、排気エリア２０の排気口２１から第１の吸気エリア１０および第２の吸気エリア１１０の両方へのバイパス経路を構築することもできる。【００２７】
好ましくは、吸気エリア１０および排気エリア２０の少なくとも一方には温度センサ（図示せず）が設置される。さらに好ましくは、温度センサからの信号によって、データセンター内の気流が制御される。例えば、計算機の冷却が不足して温度上昇を示す信号が生じた場合には、ファン１２および２２の回転出力を増して、気流を強くすることにより、計算機の冷却を促進することができる。逆に、温度センサからの信号によって、計算機の冷却が十分に達成されていることが認められた場合には、ファン１２および２２の回転出力を低減して、エネルギー消費のさらなる低減を図ることもできる。上述した排気装置から吸入装置に至る空気のバイパス経路を有し、温度センサによって過冷却が認められる場合には、暖められた空気と外気との混合割合を制御することによって、データセンター１の内部を暖めることも可能である。これらの制御の具体的手段については、従来公知の制御技術を適宜援用することができる。これらの気流制御に関する発明は、データセンターの内部を単に冷却すればよいのではなく、気流の制御によって温度変化を小さくしたほうがよいという、本発明者らの新たな技術的指針の提示によってはじめて提示されるものである。【００２８】
本発明によれば、従来のデータセンターのように、空気自体を冷却する必要性は無いか極めて小さいが、発明の実施に際しては、本発明の作用および効果を阻害しない範囲において従来技術を適宜援用することができる。
【実施例】
【００２９】
以下、実施例により本発明をさらに詳細に説明するが、本発明はこれらに限定されるものではない。【００３０】
[実施例1]
以下のように、実際のデータセンターにおいてサーバを運用した。
データセンターの模式的な平面図は、先に参照した図１に表されるとおりである。ただし、サーバの作業のし易さを考慮して、排気エリア２０よりも吸気エリア１０を広くした。具体的には、吸気エリア１０は、４．５ｍ×２．１ｍの広さ、排気エリア２０は、４．５ｍ×１．０ｍの広さにした。吸気口１１にはフードを設け、吸気用のファン１２を３台設置した。ファン１２の能力は以下の通りである：圧力扇４０ｃｍ、１７００ｍ３／ｈ：１００Ｐａ、単相１００Ｖ、１３５Ｗ。排気口２１にもフードを設け、排気用のファン２２を３台設置した。排気用のファン２２は、上述した吸気用のファンと同様のものを用いた。これらのフードおよびファンが吸入装置、排気装置、気流制御手段を担うこととなった。【００３１】
隔壁４０として１２ｃｍの厚さの耐火壁を床から天井に至るまで設置した。この隔壁４０を貫通するように、１９インチラック３０を２台設置した。該ラック３０は天板および側板が備えられていた。図５は、この１９インチラック３０の模式的な正面図である。ラック３０に２５台の１Ｕサーバ３５を格納した。ラック３０において、サーバ３５を格納しない領域３４がいくつか生じた。この領域３４にはパネル（図示せず）を設置して、ラックの正面から裏面への空気の流れを遮断した。ラック３０には外周付近にエアーブランク３６（物が無く、通気可能な領域）が生じていた。このエアーブランク３６にもパネルを嵌め込んで、ラックの正面から裏面への空気の流れを遮断した。【００３２】
サーバ３５のＣＰＵおよびＨＤＤの温度をモニタできるようにするとともに、ラック３０における吸気エリア側および排気エリア側にも温度センサを設置して、温度をモニタできるようにした。【００３３】
２００９年８月１８日、東京において、このデータセンターにおいてサーバを運用した。この日の外気は３０．１℃（最高気温）であった。【００３４】
この実施例では、ＣＰＵおよびＨＤＤに特段の負荷をかけない状態でファン１２および２２を運転して気流を制御した。その際の各部の温度は以下の通りであった。

時刻    CPU温度    HDD温度    ラック吸気側温度  ラック排気側温度
12:00      43℃      37℃        32℃            32℃
14:00      43℃      37℃        32℃            33.59℃
16:00      42℃      37℃        32℃            32℃
18:00      42℃      35℃        31.2℃          32℃
20:00      41℃      35℃        30.56℃         30.56℃【００３５】
[実施例２]
実施例１と同じデータセンターで、別の日（２００９年９月２日）にサーバを運用した。この日の外気温は２４℃（最高気温）であった。【００３６】
この実施例では、ＣＰＵおよびＨＤＤに負荷をかけた状態でサーバを運用した。ＣＰＵに負荷をかけるために、サイン関数を１００万回実行した。特段の冷却措置を行わずにこのような負荷をかけると、通常は、ＣＰＵは５０℃にまで達する。この実施例では、ファン１２および２２を運転して気流を制御した。その際の各部の温度は以下の通りであった。

時刻    CPU温度    HDD温度    ラック吸気側温度  ラック排気側温度
12:00      38℃      30℃        23.1℃             27.04℃
14:00      40℃      31℃        23.58℃            27.68℃
16:00      40℃      31℃        23.58℃            27.68℃
18:00      39℃      30℃        23.26℃            27.36℃
20:00      38℃      30℃        22.78℃            26.88℃【００３７】
以上のように、実施例１および２では、長時間にわたって安定した温度が保たれた。いずれの場合もＣＰＵ温度が外気温より１０〜１６℃程度高い状態に維持され、更なる温度上昇は生じなかった。現在のサーバ技術によれば、十分に実運用にたえる温度維持効果であると評価できる。上記実施例で構築したデータセンターを従来のようにコンプレッサーを用いた冷却によって運用しようとすると、５０００Ｗから１００００Ｗ程度の電力消費を見込む必要があった。一方、実施例１および２では、６台のファン（各最大出力は１３５Ｗ）によって温度維持が達成でき、計算上の最大の消費電力は８１０Ｗであった。このように、実施例１および２では、データセンターの温度管理における顕著な電力削減を達成することができた。
【産業上の利用可能性】
【００３８】
本発明によれば、データセンターにおけるエネルギーの消費を著しく低減することができ、情報技術のさらなる発展および環境負荷のさらなる低減に貢献すること大である。
本願は日本で出願された特願2009-244340を基礎としており、その内容は参照することにより本明細書に包含される。
【図１】
2011049033.tif 000003
【図２】
2011049033.tif 000004
【図３】
2011049033.tif 000005
【図４】
2011049033.tif 000006
【図５】
2011049033.tif 000007
【手続補正書】
【提出日】平成24年7月27日(2012.7.27)
【手続補正１】
【補正対象書類名】特許請求の範囲
【補正対象項目名】全文
【補正方法】変更
【補正の内容】
【特許請求の範囲】
【請求項１】
計算機を設置および運用するための建物であって、
建物内に外気を取り込む吸入装置を備えた吸気エリアと、
建物外へ空気を排出する排気装置を備えた排気エリアと、
吸気エリアと排気エリアとを遮断する隔壁と、
隔壁の一部を貫通するように設置された計算機格納用ラックと、
吸気エリア内の空気が計算機格納用ラックを通過して排気エリアへと流れるように気流を制御する気流制御手段と、
排気装置から吸入装置に至る空気のバイパス経路と、
を有するデータセンター。
【請求項２】
吸気エリアおよび排気エリアとは気流が遮断された気密室をさらに有し、気密室には吸気エリアへの出入口および排気エリアへの出入口が設けられている、請求項１記載のデータセンター。
【請求項３】
建物内に外気を取り込む吸入装置を備え上記吸気エリアとは別個の第２の吸気エリアと、
排気エリアと第２の吸気エリアとを遮断する第２の隔壁と、
第２の隔壁の一部を貫通するように設置された第２の計算機格納用ラックと、
第２の吸気エリア内の空気が第２の計算機格納用ラックを通過して排気エリアへと流れるように気流を制御する第２の気流制御手段と、
をさらに有する請求項１又は２記載のデータセンター。
【請求項４】
吸気エリアおよび排気エリアの少なくとも一方に温度センサをさらに有し、
温度センサからの信号によって、（Ａ）気流制御手段における気流の制御、および／または、（Ｂ）排気装置から上記バイパス経路を介した吸入装置への気流の制御、が行われるよう構成された、請求項１〜３のいずれかに記載のデータセンター。
【手続補正２】
【補正対象書類名】明細書
【補正対象項目名】０００７
【補正方法】変更
【補正の内容】
【０００７】
本発明者らが鋭意検討した結果、以下のような本発明を完成した。
（１）計算機を設置および運用するための建物であって、建物内に外気を取り込む吸入装置を備えた吸気エリアと、建物外へ空気を排出する排気装置を備えた排気エリアと、吸気エリアと排気エリアとを遮断する隔壁と、隔壁の一部を貫通するように設置された計算機格納用ラックと、吸気エリア内の空気が計算機格納用ラックを通過して排気エリアへと流れるように気流を制御する気流制御手段と、排気装置から吸入装置に至る空気のバイパス経路と、を有するデータセンター。
（２）吸気エリアおよび排気エリアとは気流が遮断された気密室をさらに有し、気密室には吸気エリアへの出入口および排気エリアへの出入口が設けられている（１）のデータセンター。
（３）建物内に外気を取り込む吸入装置を備え上記吸気エリアとは別個の第２の吸気エリアと、排気エリアと第２の吸気エリアとを遮断する第２の隔壁と、第２の隔壁の一部を貫通するように設置された第２の計算機格納用ラックと、第２の吸気エリア内の空気が第２の計算機格納用ラックを通過して排気エリアへと流れるように気流を制御する第２の気流制御手段と、をさらに有する（１）または（２）のデータセンター。
（４）吸気エリアおよび排気エリアの少なくとも一方に温度センサをさらに有し、温度センサからの信号によって、（Ａ）気流制御手段における気流の制御、および／または、（Ｂ）排気装置から上記バイパス経路を介した吸入装置への気流の制御、が行われるよう構成された、（１）〜（３）のいずれかのデータセンター。
【国際調査報告】
2011049033.tif 000008
2011049033.tif 000009
2011049033.tif 000010
2011049033.tif 000011
2011049033.tif 000012
2011049033.tif 000013
2011049033.tif 000014
2011049033.tif 000015